(57)【特許請求の範囲】
【請求項１】
画像情報を圧縮符号化してなる符号化データが記録された記録媒体が適用されている場合に、制御指令に応答して、該記録媒体から符号化データを読み出し、復号して表示画像の基礎となるディジタル態様の表示用画像データを単位画像毎に逐次生成し、該表示用画像データを複数画像分の記憶容量を持つ所定の画像表示用メモリに格納する表示用画像データ生成手段と、
上記画像表示用メモリに格納されたディジタル態様の表示用画像データを逐次読み出してアナログ変換し、画像表示のための映像信号を生成して出力する信号変換手段と、
操作者による所定の操作に基づいて画像の表示を行なうための操作指令信号を発する操作指令手段と、
上記表示用画像データ生成手段に、表示用画像データの生成と該表示用画像データの画像表示用メモリへの格納を逐次行なわしめる第１の制御を、上記記録媒体装着時に画像表示のための別段の操作を待つことなく実行し、更に上記操作指令手段からの一の操作指令信号に応答して、上記信号変換手段に、該画像表示用メモリに格納された表示用画像データに基づいて画像表示のための映像信号を生成して出力せしめる第２の制御とを実行し、且つ、上記一の操作指令信号に応答して一度第２の制御が行われて以降は、他の操作指令信号を待つことなく第２の制御の完了後直ちに第１の制御を実行するように構成された制御手段と、
を備えてなることを特徴とする画像再生装置。
【発明の詳細な説明】
【０００１】
【発明の属する技術分野】
本発明は電子スチルカメラ等で撮影された静止画を再生する画像信号再生装置に関する。
【０００２】
【従来の技術】
銀鉛フィルムに代えて、画像信号を磁気記録媒体あるいはメモリに記憶することによりこれを読出してテレビモニタに表示したり、プリンタに出力させてハードコピー化することにより観賞するようにした電子スチルカメラが実用化された。
【０００３】
このような電子スチルカメラでは画像情報をアナログ信号としてフロッピディスク状のビデオフロッピに記録するものの他、デジタル信号として記録媒体に記録するものがあるが、一方、画像データは情報量が非常に多いため記録媒体へは様一々な情報圧縮が施されて符号化され、記録されるのが一般的である。
【０００４】
そして、このように圧縮された信号は符号化されているので、復号化しなければ画像信号に戻せない。そのため、従来においては、この復号化処理のために、画像再生用のプロセッサを用意してあり、再生時には図５に示すように再生すべき画像の圧縮符号化されたデータを読み込み、この画像再生用のプロセッサに圧縮画像信号を入力して復号化処理を行う必要がある。これは１フレ一ム分毎に、その都度行っていた。
【０００５】
【発明が解決しようとする課題】
このように、電子スチルカメラでは画像信号を圧縮して符号化し、記録するために、再生時には復号化処理をする必要がある。そして、画像の圧縮率を高めるために符号化時のアルゴリズムが複雑になっていることから、従来のこのような復号化処理も複雑になって、膨大な演算処理を要するようになっている。
【０００６】
従って、画像再生用プロセッサの処理中枢を汎用の８ビットないし１６ビット程度のマイクロプロセッサで構成すると、一枚の画像を復号するための処理時間が長くかかってしまう。
【０００７】
一方、記録媒体に記録されるスチル画像は５０コマ程度にもなるので、所望のコマを見つけるには一コマ、一コマ再生して表示する必要がある。
【０００８】
そして、使い勝手の面から、コマの検索を行う場合等には画像を切り換えるのに要する時間はなるべく短いことが望ましいが、画像を切り換えるたびに復号処理を行うので、高速で検索しようとしても、少なくとも復号処理にかかる時間分、待たねばならず、操作性に欠けると云う欠点があった。
【０００９】
そこでこの発明の目的とするところは、記録媒体中の画像を高速に連続再生可能とすると共に、多数のコマ数の画像がある場合でも能率良く画像を検索できるようにした電子スチルカメラ等の画像再生に最適な画像信号再生装置を提供することにある。
【００１０】
【課題を解決するための手段】
上記目的を達成するため、本発明は次のように構成する。すなわち、画像情報を圧縮符号化してなる符号化データが記録された記録媒体が適用されている場合に、制御指令に応答して、該記録媒体から符号化データを読み出し、復号して表示画像の基礎となるディジタル態様の表示用画像データを単位画像毎に逐次生成し、該表示用画像データを複数画像分の記憶容量を持つ所定の画像表示用メモリに格納する表示用画像データ生成手段と、
上記表示画像用メモリに格納されたディジタル態様の表示用画像データを逐次読み出してアナログ変換し、画像表示のための映像信号を生成して出力する信号変換手段と、
操作者による所定の操作に基づいて画像の表示を行なうための操作指令信号を発する操作指令手段と、
上記表示用画像データ生成手段に、表示用画像データの生成と該表示用画像データの画像表示用メモリへの格納を逐次行わしめる第１の制御を実行し、更に上記操作指令手段からの一の操作指令信号に応答して、上記信号変換手段に、該画像表示用メモリに格納された表示用画像データに基づいて画像表示のための映像信号を生成して出力せしめる第２の制御とを実行し、且つ、上記一の操作指令信号に応答して一度第２の制御が行われて以降は、他の操作指令信号を待つことなく第２の制御の完了後直ちに第１の制御を実行するように構成された制御手段とを備えて構成する。
【００１１】
また、上記制御手段は操作者による画像表示のための別段の操作を待つことなく上記第１の制御を実行する構成とする。
【００１２】
すなわち、画像情報を圧縮符号化してなる符号化データが記録された記録媒体から、表示用画像データ生成手段は制御指令に応答して符号化データを読み出し、復号して表示画像の基礎となるディジタル態様の表示用画像データを単位画像毎に逐次生成し、該表示用画像データを複数画像分の記憶容量を持つ所定の画像表示用メモリに格納し、信号変換手段は上記表示画像用メモリに格納されたディジタル態様の表示用画像データを逐次読み出してアナログ変換し、画像表示のための映像信号を生成して出力する。
【００１３】
制御手段は、上記表示用画像データ生成手段に、表示用画像データの生成と該表示用画像データの画像表示用メモリへの格納を逐次実施させる第１の制御が可能であり、当該第１の制御を実行し、更に上記操作指令手段を操作して得た一の操作指令信号を受けると上記信号変換手段に対し、該画像表示用メモリに格納された表示用画像データに基づいて画像表示のための映像信号を生成して出力させるべく制御すると共に、その後は他の操作指令信号を待つことなく直ちに第１の制御を実行する。
【００１４】
本発明装置では、操作者が画像の表示を行なわせる操作指令手段を操作すると、画像表示用メモリに格納された復号済みの表示用画像データに基づいて映像信号を生成して出力するということを次々に繰り返して実施するので、多数のコマ数があっても記録媒体中の画像を高速に連続再生可能で、しかも、能率良く画像を検索できるようになる。
【００１５】
また、制御手段に、操作者による画像表示のための別段の操作を待つことなく上記第１の制御を実施する機能を持たせた場合には、当該制御手段は、上記表示用画像データ生成手段に、表示用画像データの生成と該表示用画像データの画像表示用メモリへの格納を逐次実施させるので、時間のかかる符号化データの復号は空き時間を有効に利用して済ませておくことから、記録媒体中の画像を高速に連続再生可能で、しかも、能率良く画像を検索できるようになる。
【００１６】
【発明の実施の形態】
本発明は、表示の操作指令を受けていないときも逐次、それぞれの画像の復号と、この復号画像データのフレームメモリへの保存を実施するようにし、時間を要する復号を空き時間を利用して処理しておくことによって、いつでもフレーム画像の画像信号をフレームメモリからの読出しで得られるようにすることで再生時に、時間のかかる復号化処理をしないで済むようにし、待ち時間無く記録媒体中の画像を高速に連続再生できるようにしたもので、以下、本発明の実施例を図面を参照して説明する。
【００１７】
図１は本発明の一実施例を示すブロック図であり、図中１はメモリカートリッジ、２はコネクタ、４は復号器、６はフレームメモリ、５は書き込みアドレス選択回路、７は読み出しアドレス選択回路、８はディジタルーアナログ変換器、１０は制御回路、１３はキーボード等の入力装置である。これらは電子スチルカメラ本体または再生用プロセッサ本体内に設けられる。
【００１８】
図１におけるメモリカートリッジ１はたとえばＳＲＡＭ（スタティック・ランダム・アクセス・メモリ）半導体メモリやＥＥＰＲＯＭ（電気的消去可能形の読出し専用メモリ）などの書き換え可能なディジタル記憶素子を搭載したカートリッジであり、画像データを格納するものである。この画像データはフレームあたりの画像データが膨大であるため、圧縮符号化したものを用いている。
【００１９】
ここで、圧縮符号化した画像データとは、直交変換（離散的余弦変換、アダマール変換、Ｋ−Ｌ変換、離散的フーリエ変換など）や予測符号化にエントロピー符号化（ハフマン符号、算術符号、ランレングス符号など）をしたものであったり、それらに適応的処理を施したり、ベクトル量子化を組み合わせたりしたもの等を指す。
【００２０】
コネクタ２はディジタル電子スチルカメラ本体または再生用プロセッサ本体に設けられており、メモリカートリッジ１はこのコネクタ２によりディジタル電子スチルカメラ本体または再生用プロセッサ本体に着脱自在に装着できる。
【００２１】
なお、メモリカートリッジは記憶媒体であり、半導体メモリを搭載したカートリッジであるが、フロッピディスクのようにディジタル記憶の可能な他の形態をとった記憶媒体を使用するようにしても何等差支えない。
【００２２】
復号器４はメモリカートリッジ１より読み出された信号３を復号するものであり、フレームメモリ６はこの復号された画像データをフレーム単位で格納するものである。本システムではフレームメモリ６はｎ枚分の画像データを格納する容量を有しているものとする。
【００２３】
アドレス選択回路５はフレームメモリ６中の書き込みアドレスを選択する回路であり、フレームメモリ６は前記復号器４の復号した画像データをこの書き込みアドレス選択回路５で指定されるアドレスに記憶するようにしてある。
【００２４】
読み出しアドレス選択回路７はフレームメモリ６中の読み出しアドレスを選択する回路であり、この回路７により指定されるアドレスから順に１フレーム分、フレームメモリ６より画像データを読み出すことで、１フレーム分の必要な画像データを読出す。
【００２５】
ディジタル／アナログ変換器８（以下、ＤＡＣと略称する）はフレームメモリ６より出力される画像データをアナログ信号に変換して装置出力として出力端子９に出力する信号変換回路である。
【００２６】
尚、出力端子９にはたとえば映像モニタやビデオプリンタのように映像信号を可視画像として出力する装置が接続される。
【００２７】
制御回路１０は本システムの全体の制御の中枢を担うものであり、前記メモリカートリッジ１、からの読出要求信号を画像データのメモリカートリッジ１中のアドレスと共に送出した後、復号器４に対して復号を実行させるべく制御信号を送出したり、この復号されたデータをフレームメモリ６中の格納されるべきアドレスを指定させるために書き込みアドレス選択回路５に指令を与えたり、フレームメモリ６中の読出しアドレスを指定させるために読み出しアドレス選択回路７に指令を与えたり、ＤＡＣ８の制御指令を与えたりする。
【００２８】
書き込みアドレス選択回路５は、復号されたデータのフレームメモリ６中の格納されるべきアドレスを送り、一画面がフレームメモリ６の所定の位置に記憶された後、書き込みアドレスを変更する。この後、再びメモリカートリッジ１より画像データが読み込まれてゆく。
【００２９】
読み出しアドレス選択回路７は画像の再生時に、読み出しアドレスを選択指定するための回路であり、これにより指定されるアドレスの画像をフレームメモリ６より読み出し、再生画像切り換え信号を制御回路１０より受けると、読み出しアドレス選択回路７は読み出しアドレスを別のフレームのアドレスに変更するようになっている。
【００３０】
こうすることにより、一度復号した画像は再生時にはフレームメモリ６の読み出しアドレスを変更するだけで別のフレームの画像に切り替えて表示することを可能にし、表示画像を高速に切り換えることができるようにしてある。
【００３１】
また、制御回路１０は表示の操作指令を受けたときは最初の一枚の画像の表示のための処理が終わると、空き時間が生じれば、直ちに次の画像の復号と、この復号画像データのフレームメモリ６ヘの保存を逐次、実施し、使用者による読み出しの操作が無くとも、フレームメモリ６に未表示の画像の復号と、この復号画像データの保存を行っていつでも再生が行えるように準備する機能を持たせてある。
【００３２】
また、制御回路１０は表示の操作指令を受けていないときも逐次、それぞれの画像の復号と、この復号画像データのフレームメモリ６への保存を実施するようにしてあり、時間を要する復号を空き時間を利用して処理し、いつでもフレーム画像の画像信号をフレームメモリ６からの読出しで得られるようにしてある。
【００３３】
入力装置１３は再生や消去、コマ指定等の各種操作指令等を行うためのものである。
【００３４】
次にこのような構成の本装置の作用を説明する。ディジタル電子スチルカメラにより撮影された画像は映像信号化された上でフレーム単位で圧縮符号化され、ディジタル電子スチルカメラに装着のメモリカートリッジ１に記録される。再生はこのメモリカートリッジ１を再生装置（ディジタル電子スチルカメラに再生機能があれば、当該カメラに装着した状態で良い）のコネクタ２に装着する。
【００３５】
すると、再生側では直ちに、また、再生系を有するカメラの場合では再生開始の指令を与えることにより、制御回路１０はコネクタ２を介してメモリカートリッジ１に読み出し指令（読出要求信号）と読み出しフレームの情報（アドレス）を与え、これによりメモリカートリッジ１から当該アドレス対応のメモ
リエリアに格納されているフレーム画像のデータが読み出される。
【００３６】
この読み出された画像データの信号３は復号器４に入力され、この復号器４でもとの画像データに復号され、フレームメモリ６に与えられる。
【００３７】
このとき、制御回路１０は書き込みアドレス選択回路５に指令を与え、これにより書き込みアドレス選択回路５は書き込むべきアドレス情報（一枚目のフレームの記憶領域アドレス）を発生しフレームメモリ６に与える。
【００３８】
従って、フレームメモリ６には書き込みアドレス選択回路５で指定されるアドレス領域に、この復号された画像データが記憶される。
【００３９】
そして、再生系に対する人為的な指令が与えられるまでは、フレームメモリ６の持つｎ枚分の容量がすべて満たされるまで、制御回路１０は順次、次のフレームの画像の復号を行い、フレームメモリ６に格納すべく、上述のような制御を繰り返し、書き込みアドレス選択回路５で指定される別の未記録アドレス領域に記憶して行く。
【００４０】
このようにして、本発明の画像信号再生装置における制御回路１０は再生表示の指令が与えられるまでは、その空き時間を利用して復号とフレームメモリ６への記録を繰り返して行く。
【００４１】
フレームメモリ６の容量は十数フレーム分程度とするが、コストや寸法的な問題が生じなければ、更に多数の画像の記憶ができるような容量を確保して良い。
【００４２】
そして、フレームメモリ６の容量が多ければ（メモリカートリッジ１の格納フレーム数相当分程度）これを繰り返すことで、メモリカートリッジ１の画像を全て復号しフレームメモリ６に記憶させることができる。以上の動作をフローチャー卜で示すと図４（ａ）のｓｔ１からｓｔ４の如きとなる。
【００４３】
次に再生フレームを再生系の入力装置１３より指令すると、その指令されたフレームの画像データを読み出すべく、制御回路１０はその指令を読み出しアドレス選択回路７に与える。
【００４４】
これにより、読み出しアドレス選択回路７はその指定フレーム対応のエリアのアドレスを順次出力すべく動作してフレームメモリ６に与えるので、フレームメモリ６より当該指定のアドレスからデータを読み出して、ＤＡＣ８に出力する。
【００４５】
ＤＡＣ８は、ディジタルデータを対応するアナログ信号に変換して出力端子９に出力するものであり、読み出された画像データは復号された映像信号のディジタルデータであるので出力端子９からはアナログの映像信号の形で再生出力が得られることになる。
【００４６】
そして、符号化時に画像信号をテレビ系の同期信号を含めたビデオ信号としてあれば、復号され、アナログ化された信号はテレビ系の同期信号を含めたビデオ信号となるので、出力端子９に、たとえば映像モニタのように映像信号を可視画像として出力する装置が接続されていれば、直ちにその再生画像を観賞することが可能になる。
【００４７】
また、次の別なフレームを指定すれば、制御回路１０はその指定フレームの画像データを読み出すべく、制御回路１０はその指令を読み出しアドレス選択回路７に与える。
【００４８】
これにより、読み出しアドレス選択回路７はその指定フレーム対応のエリアのアドレスを順次出力すべく動作してフレームメモリ６に与えるので、フレームメモリ６より当該指定のアドレスからデータを読み出して、ＤＡＣ８に出力する。
【００４９】
そして、ＤＡＣ８は、ディジタルデータを対応するアナログ信号に変換して出力端子９に出力するので映像モニタには、直ちにその再生画像が表示されることになる。
【００５０】
以上の動作をフローチャートで示すと図４（ａ）のｓｔ５からｓｔ６の如きとなる。
【００５１】
ここで、本発明装置においてはフレームメモリ６の容量がメモリカートリッジ１の画像記憶枚数に満たない構成の場合は図２のように、制御回路１０の出力する読出要求信号と、読み出しアドレス、および画像再生によるフレームメモリ６からの読み出し量の情報を受けてフレームメモリ６の残存容量を監視し、空き領域の情報を出力する空き領域検出回路１１を設け、また、該空き領域検出回路１１からの情報に従って、空き領域が復号データを書き込むのに十分な領域があるか否かを判断する機能を制御回路１０に設け、この判断結果が、
空き領域が復号データを書き込むのに十分な領域がないとした場合にメモリカートリッジ１からの読み出しをストップさせるよう、制御回路１０からの読出要求信号を阻止する読み出し制御回路１５を設けるようにするのが望ましい。
【００５２】
こうすることによって、フレームメモリ６に空き領域があまり無く、復号データを記憶させる領域が確保できないと判断した時に、制御回路１０がメモリカートリッジ１より画像の圧縮符号化されたデータを読み出すための要求である読出要求信号を発するのを、読み出し制御回路１５によりストップさせることができる。
【００５３】
ここで空き領域とは、フレームメモリ６中の未使用部分や、再生終了フレームや消去指令を受けたフレームなどのように消去しても構わない画像データの格納されている部分のことである。これによってフレームメモリ６の容量が残り少ない場合にはオーバーフローするのを防ぐことができる。
【００５４】
また、本発明は図３のように構成すれば、フレームメモリ６の容量が少なくて、メモリカートリッジ１中の全フレームの記憶画像のデータを復号して記憶することができない場合、読み込める範囲で読み込んで一旦、読み込みを中止し、画像の表示を行い、再生が全て終了した時点でフレームメモリ６の全画像を消去し、次の未再生データをメモリカートリッジ１から読み込んでくると云った機能を持たせることができる。
【００５５】
すなわち、この場合、図２の構成にさらに、再生済み画像検出回路１２、消去回路１４、カウンタ回路１６を設ける。カウンタ回路１６は制御回路１０がメモリカートリッジ１から読み出したメモリカートリッジ１内の記憶画像の格納状態情報等を受け、制御回路１０からメモリカートリッジ１に与える読出要求信号と読み出しアドレスを参照してメモリカートリッジ１内の記憶画像の残り枚数を数えるものであり、制御回路１０の出力する、空き領域が復号データを書き込むのに十分な領域があるか否かの判断結果が、否であるとき読出要求信号の阻止信号を出力する読み出し制御回路１５からの当該阻止信号により、カウンタ回路１６は制御回路１０がメモリカートリッジ１へ与える読出要求信号とアドレスの情報を阻止する機能を有する。
【００５６】
また、制御回路１０にはカウンタ回路１６の出力をもとにメモリカートリッジ１内の記憶画像の未復号画像残り枚数をチェックしてメモリカートリッジ１内に未復号化データがまだ残っているか否かを判断する機能を設け、制御回路１０がメモリカートリッジ１内に未復号化データがまだ残っていると判断し、かつ、空き領域検出回路１１がフレームメモリ６の空き領域として復号データを書き込むのに十分な領域が無いと判断した時に、当該制御回路１０は再生画像切り換え要求を出力するようにした機能を持たせてある。
【００５７】
一方、再生済画像検出回路１２には読み出しアドレス選択回路７より、読み出しアドレスが出力されるとこれをもとに当該アドレス領域の画像が再生されたと認識し、これによってフレームメモリ６中の再生済み画像を検出すると云った機能を持たせてあり、前記再生画像切り換え要求を検知すると、フレームメモリ６中の再生済み画像の情報を出力する機能を持たせてある。また、消去回路１４はこの再生済画像検出回路１２が出力するフレームメモリ６中の再生済み画像の情報を受けると、この再生済み画像の情報をもとに、これら再生済み画像のうち少なくとも１つの画像が割り当てられている領域を未使用領域とするよう画像データの消去をする指令と当該再生済み画像の割り当て領域のアドレス情報とを発生する機能を有している。
【００５８】
この画像データの消去指令とアドレス情報は空き領域検出回路１１に与えられて、空き領域検出回路１１はこの領域を空き領域として認識すると共に当該領域を消去すべく書き込みアドレス選択回路５に指令を与え、これにより書き込みアドレス選択回路５は該領域のアドレスを発生すると共に、制御回路１０より復号器４に消去データを発生させることでフレームメモリ６中の再生済み画像の格納領域における指定の領域についてデータ消去することができる構成としてある。
【００５９】
このような構成において、初期時に制御回路１０はメモリカートリッジ１からメモリカートリッジ１内の記憶画像の格納状態情報等を読み出す。
【００６０】
そして、次に制御回路１０は一枚目の画像の復号をすべく、読出要求信号と、一枚目の画像の読み出しアドレスを出力する。そして、これらの信号とアドレス情報をメモリカートリッジ１およびカウンタ回路１６に与えると共に、これら信号およびアドレス情報と前記読み出した格納状態情報とをカウンタ回路１６にも与える。
【００６１】
これにより、カウンタ回路１６は当該格納状態情報を基準に、制御回路１０からメモリカートリッジ１に与える読出要求信号と読み出しアドレスを１参照してメモリカートリッジ１内の記憶画像の残り枚数を数える。そして、読出要求信号と、一枚目の画像の読み出しアドレスを受けたメモリカートリッジ１からは一枚目の画像のデータが読み出され、これは復号器４で復号された後、フレームメモリ６に格納される。
【００６２】
一枚目が済めば、２枚目、３枚目と読み出し、復号してフレームメモリ６に格納されてゆく。
【００６３】
一方、制御回路１０はカウンタ回路１６の出力をもとにメモリカートリッジ１内の記憶画像の未復号画像残り枚数をチェックしてメモリカートリッジ１内に未復号化データがまだ残っているか否かを判断する。
【００６４】
そして、制御回路１０がメモリカートリッジ１内に未復号化データがまだ残っていると判断し、かつ、空き領域検出回路１１がフレームメモリ６の空き領域として復号データを書き込むのに十分な領域が無いと判断した時に、当該制御回路１０は当該判断結果と、再生画像切り換え要求を出力する。
【００６５】
そして、前記十分な領域が無いとの判断結果により、読み出し制御回路１５から読出要求信号の阻止信号が出力される。すると、カウンタ回路１６はこの阻止信号により制御回路１０がメモリカートリッジ１へ与える読出要求信号とアドレスの情報を阻止する。
【００６６】
一方、コマ番号を指定するか、無指定で画像の再生指令を入力装置１３より指令すると、制御回路１０は前者の場合では指定されたコマの、後者の場合では再生されていない最初のコマのフレーム画像を表示すべく、読み出しアドレス選択回路７に指令を与えるので、当該読み出しアドレス選択回路７はその対応の画像の格納アドレスを発生してフレームメモリ６に与える。
【００６７】
これにより、フレームメモリ６からは当該画像のデータが読み出され、ディジタル変換されて表示に供される。また、読み出しアドレス選択回路７の出力アドレス情報は再生済画像検出回路１２にも与えられ、再生済画像検出回路１２は読み出しアドレス選択回路７からの読み出しアドレスをもとに、当該アドレス領域の画像が再生されたと認識し、これによってフレームメモリ６中の再生済み画像を検出する。
【００６８】
そして、前記再生画像切り換え要求を検知すると、フレームメモリ６中の再生済み画像の情報を出力する。また、消去回路１４はこの再生済画像検出回路１２が出力するフレームメモリ６中の再生済み画像の情報を受けると、この再生済み画像の情報をもとに、これら再生済み画像のうち少なくとも１つの画像が割り当てられている領域を未使用領域とするよう画像データの消去をする指令と当該再生済み画像の割り当て領域のアドレス情報とを発生する。
【００６９】
この画像データの消去指令とアドレス情報は空き領域検出回路１１に与えられて、空き領域検出回路１１はこの領域を空き領域として認識すると共に当該領域を消去すべく書き込みアドレス選択回路５に指令を与え、これにより書き込みアドレス選択回路５は該領域のアドレスを発生すると共に、制御回路１０より復号器４に消去データを発生させることでフレームメモリ６中の再生済み画像の格納領域における指定の領域についてデータ消去する。
【００７０】
データ消去により、空き領域が生じると制御回路１０からの判定結果は十分な書き込み領域ありと判断するので、阻止信号は無くなるから、メモリカートリッジ１からの次の未再生画像の読み出しが可能になり、これによって、新たな未再生画像の復号とフレームメモリ６への更新記憶が実施される。
【００７１】
このように図３の構成は、制御回路１０の出力する読出要求信号と、読み出しアドレス、および画像再生によるフレームメモリ６からの読み出し量の情報を受けてフレームメモリ６の残存容量を監視し、空き領域の情報を出力する空き領域検出回路１１と、該空き領域検出回路１１からの情報に従って、空き領域が復号データを書き込むのに十分な領域がない場合にメモリカートリッジ１からの読み出しをストップさせるよう制御回路１０からの読出要求信号を阻止する読み出し制御回路１５を設け、未復号化データがまだ残っていると判断され、且つ、フレームメモリ６の空き領域が復号データを書き込むのに十分な領域が無いと判断した時に再生画像切り換え要求を検知すると、再生済み画像検出回路１２によって、フレームメモリ６中の再生済み画像を検出し、この検出情報に基づく再生済み画像の領域の情報を画像消去回路１４に与えるとこの画像消去回路１４は再生済み画像のうち少なくとも１つの画像が割り当てられている領域を未使用領域とするよう画像消去するようにし、この新たに確保された未使用領域に、メモリカートリッジ１における未再生の画像を読み出し、復号して格納して待機させるようにしたものである。
【００７２】
そのため、このような構成とすることにより、フレームメモリ６の容量が少なくて、メモリカートリッジ１中の全フレームの記憶画像のデータを復号して記憶することができない場合でも、読み込める範囲で読み込んで一旦、読み込みを中止し、画像の表示を行い、再生が終了したものは時点でフレームメモリ６の全画像を消去し、次の未再生データをメモリカートリッジ１から読み込んで来ることができる。また、フレームメモリ６の全画像の再生が終了した時点でフレームメモリ６の全画像を消去し、次の未再生データをメモリカートリッジ１から読み込んで来るようにしても良い。
【００７３】
以上の動作をフローチャートで示すと図４（ｂ）の如きとなる。
【００７４】
電子スチルカメラにおいて、連写モードで撮影した複数数枚の画像を、高速で連続再生させるような用途の場合、再生可能な状態であるのはその連写による数枚分だけで良いので、図３の構成はこのような用途に有効となる。
【００７５】
もちろん、数枚の画像を再生してみて、不要と思われるものを入力装置１３からの指令で消去させ、空いた領域に未再生の画像や、指定のコマ番号の画像をメモリカートリッジ１から読み込んで来ていつでも再生可能な状態におくと云った使い方も可能である。
【００７６】
また、画像消去のタイミングは、再生画像切り換え要求のあった時でなく、直接画像消去要求のあったときでも良く、それらの要求は自動的に発生するものでも入力装置１３より入力されたものでも良い。
【００７７】
上記入力装置は本実施例ではキーボードであり、制御回路１０に接続されて直接、指令を与えることができるようにしてある。また、カウンタ回路１６は、未復号化データの有無を判断する手段であって、残りの有無でＯＮ／ＯＦＦするフリップフロップでも良い。
【００７８】
尚、本発明は上記し、且つ、図面に示す実施例に限定することなくその要旨を変更しない範囲内で適宜変形して実施し得ることは勿論である。
【００７９】
このように本装置は、画像情報を圧縮符号化してなる符号化データが記録された記録媒体が適用されている場合に、制御指令に応答して、該記録媒体から符号化データを読み出し、復号して表示画像の基礎となるディジタル態様の表示用画像データを単位画像毎に逐次生成し、該表示用画像データを複数画像分の記憶容量を持つ所定の画像表示用メモリに格納する表示用画像データ生成手段と、上記表示画像用メモリに格納されたディジタル態様の表示用画像データを逐次読み出してアナログ変換し、画像表示のための映像信号を生成して出力する信号変換手段と、操作者による所定の操作に基づいて画像の表示を行なうための操作指令信号を発する操作指令手段と、上記表示用画像データ生成手段に、表示用画像データの生成と該表示用画像データの画像表示用メモリへの格納を逐次行わしめる第１の制御と、上記操作指令手段からの一の操作指令信号に応答して、上記信号変換手段に、該画像表示用メモリに格納された表示用画像データに基づいて画像表示のための映像信号を生成して出力せしめる第２の制御とを実行し、且つ、上記一の操作指令信号に応答して当初の第２の制御が行われて以降は、他の操作指令信号を待つことなく上記第２の制御の完了後直ちに第１の制御を実行するように構成された制御手段とを備えて構成したものである。また、制御手段には、操作者による画像表示のための別段の操作を待つことなく上記第１の制御を実施する機能を設けて構成したものである。
【００８０】
すなわち、画像情報を圧縮符号化してなる符号化データが記録された記録媒体から、表示用画像データ生成手段は制御指令に応答して符号化データを読み出し、復号して表示画像の基礎となるディジタル態様の表示用画像データを単位画像毎に逐次生成し、該表示用画像データを複数画像分の記憶容量を持つ所定の画像表示用メモリに格納し、信号変換手段は上記表示画像用メモリに格納されたディジタル態様の表示用画像データを逐次読み出してアナログ変換し、画像表示のための映像信号を生成して出力する。
【００８１】
制御手段は、上記表示用画像データ生成手段に、表示用画像データの生成と該表示用画像データの画像表示用メモリへの格納を逐次実施させる第１の制御が可能であり、上記操作指令手段を操作して得た一の操作指令信号を受けると上記信号変換手段に対し、該画像表示用メモリに格納された表示用画像データに基づいて画像表示のための映像信号を生成して出力させるべく制御し、その後は他の操作指令信号を待つことなく第１の制御を実行する。
【００８２】
本発明装置では、操作者が画像の表示を行なわせる操作指令手段を操作すると、画像表示用メモリに格納された表示用画像データに基づいて映像信号を生成して出力するということを次々に繰り返して実施するので、多数のコマ数があっても記録媒体中の画像を高速に連続再生可能で、しかも、能率良く画像を検索できるようになる。
【００８３】
また、制御手段に、操作者による画像表示のための別段の操作を待つことなく上記第１の制御を実施する機能を持たせた場合には、当該制御手段は、上記表示用画像データ生成手段に、表示用画像データの生成と該表示用画像データの画像表示用メモリへの格納を逐次実施させるので、時間のかかる符号化データの復号は空き時間を有効に利用して済ませておくので、記録媒体中の画像を高速に連続再生可能で、しかも、能率良く画像を検索できるようになる。
【００８４】
【発明の効果】
以上、説明したように、本発明によれば、電子スチルカメラ等の画像を、事前に復号して画像表示用メモリに格納し、操作者が画像の表示を行なわせる操作指令手段を操作すると、画像表示用メモリに格納された表示用画像データに基づいて映像信号を生成して出力するので、多数のコマ数があっても記録媒体中の画像を高速に連続再生可能で、しかも、能率良く画像を検索できるようになる。
【図面の簡単な説明】
【図１】本発明の一実施例を示すブロック図。
【図２】本発明の他の実施例を示すブロック図。
【図３】本発明の他の実施例を示すブロック図。
【図４】本発明装置の作用を説明するためのフローチャート。
【図５】従来例を説明するためのフローチャートである。
【符号の説明】
１…メモリカートリッジ、
２…コネクタ、
４…復号器、
５…書き込みアドレス選択回路、
６…フレームメモリ、
７…読み出しアドレス選択回路、
８…ディジタル−アナログ変換器、
１０…制御回路、
１１…空き領域検出回路、
１２…再生済み画像検出回路、
１３…入力装置、
１４…消去回路、
１５…読み出し制御回路、
１６…カウンタ回路
【図１】
0003557359.tif 000002
【図２】
0003557359.tif 000003
【図３】
0003557359.tif 000004
【図４】
0003557359.tif 000005
【図５】
0003557359.tif 000006